【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
ランダムに回旋状の断面のポリマーフィブリルを含んでなる膜であって、厚さが約５０μｍ以下であり、縦方向均一性指数が約２９（ｇ／ｍ２）１／２以下である膜。
【請求項２】
織シート、不織シート、またはフィルムよりなる群から選択される予め形成された基材上に堆積された請求項１に記載の膜を含んでなる複合シート。
【請求項３】
（ａ）紡糸剤と、異なった溶融温度または軟化温度を有する少なくとも２つのポリマーとを含んでなる流体化混合物を、大気圧より大きい圧力で、回転速度で軸の周りを回転するロータに供給する工程であって、ロータが、ロータの周囲に沿って、中に開口部を含んでなる少なくとも１つの材料噴出ノズルを有することを特徴とする工程と、
（ｂ）材料噴出速度で、流体化混合物を、ノズルの開口部から、大気圧における環境中に噴出して、噴出された材料を形成する工程と、
（ｃ）噴出された材料の少なくとも１つの成分を気化させるか膨張させて、流体ジェットを形成する工程と、
（ｄ）噴出された材料の残りの成分を、流体によって輸送して、ロータから離す工程と、
（ｅ）ロータの軸に同軸の捕集ベルトの捕集表面上に、噴出された材料の残りの成分を捕集して、捕集された材料を形成する工程であって、捕集ベルトが、ロータの回転の軸に平行な方向に、捕集ベルト速度で移動することを特徴とする工程と、
（ｆ）捕集された材料の温度を、最も低い溶融温度または軟化温度のポリマーの温度より高い温度で、最も低い溶融温度または軟化温度のポリマーを粘着性にするのに十分な時間の間保持する工程と
を含んでなる方法。
【請求項４】
別々のフィブリルを含んでなる材料を形成するための方法であって、
（ａ）約０．５重量％から約５重量％の濃度における紡糸剤中のポリマーの溶液を含んでなる流体化混合物を、大気圧より大きい圧力で、回転速度で軸の周りを回転するロータに供給する工程であって、ロータが、ロータの周囲に沿って、中に開口部を含んでなる材料噴出ノズルを有することを特徴とする工程と、
（ｂ）材料噴出速度で、流体化混合物を、ノズルの開口部から、大気圧における環境中に噴出して、噴出された材料を形成する工程と、
（ｃ）噴出された材料の少なくとも１つの成分を気化させるか膨張させて、流体ジェットを形成する工程と、
（ｄ）噴出された材料の残りの成分から形成された別々のフィブリルを、流体によって輸送して、ロータから離す工程と、
（ｅ）ロータの軸に同軸の捕集ベルトの捕集表面上に、別々のフィブリルを捕集して、厚さが約５０μｍ以下である膜を形成する工程であって、捕集ベルトが、ロータの回転の軸に平行な方向に、捕集ベルト速度で移動することを特徴とする工程と
を含んでなる方法。
【請求項５】
（ａ）異なったポリマー成分を含んでなる２つの別個の流体化混合物を、大気圧より大きい圧力で、回転速度で軸の周りを回転するロータに供給する工程であって、ロータが、少なくとも２つの別個の材料噴出ノズルを有し、各ノズルが、ロータの周囲に沿って、その中に開口部を含んでなることを特徴とする工程と、
（ｂ）各ノズルから、材料噴出速度で、２つの別個の流体化混合物を、別個のノズルの開口部から、大気圧における環境中に噴出して、別個の噴出された材料を形成する工程と、
（ｃ）各別個の噴出された材料の少なくとも１つの成分を気化させるか膨張させて、流体ジェットを形成する工程と、
（ｄ）各別個の噴出された材料の残りの成分を、流体によって輸送して、ロータから離す工程と、
（ｅ）ロータの軸に同軸の捕集ベルトの捕集表面上に、各別個の噴出された材料の残りの成分を捕集して、捕集された材料を形成する工程であって、捕集ベルトが、ロータの回転の軸に平行な方向に、捕集ベルト速度で移動することを特徴とする工程と
を含んでなる方法。
【手続補正２】
【補正対象書類名】明細書
【補正対象項目名】０１２０
【補正方法】変更
【補正の内容】
【０１２０】
ＨＤＰＥフィブリルおよび粒子の層を金属化マイラー（登録商標）基材の表面上に堆積させ、堆積された層は、坪量が０．４ｏｚ／ｙｄ２（１４ｇ／ｍ２）であり、厚さが０．００１インチ（２５μｍ）であった。
本発明の好適な実施態様は次のとおりである。
１．  ランダムに回旋状の断面のポリマーフィブリルを含んでなる膜であって、厚さが約５０μｍ以下であり、縦方向均一性指数が約２９（ｇ／ｍ２）１／２以下である膜。
２．  膜が、坪量が約２．４ｇ／ｍ２から約９１ｇ／ｍ２である上記１に記載の膜。
３．  膜が、厚さが約２５μｍ以下であり、縦方向均一性指数が約２３（ｇ／ｍ２）１／２未満である上記１に記載の膜。
４．  膜が、厚さが約１μｍ以下である上記１に記載の膜。
５．  膜が、縦方向均一性指数が約１７（ｇ／ｍ２）１／２未満である上記１に記載の膜。
６．  フィブリルが、ポリオレフィン、ポリエステル、部分フッ素化ポリマー、ポリケトン、ポリマーブレンド、およびそれらの組合せよりなる群から選択されるポリマーから形成される上記１に記載の膜。
７．  膜が、粒子、中空粒子を含んでなるフォーム、ウェブ、および／またはプレキシフィラメント状フィルム−フィブリルストランドよりなる群から選択される少なくとも１つの成分をさらに含んでなる上記１に記載の膜。
８．  異なった溶融温度または軟化温度を有する少なくとも２つのポリマーを含んでなり、最も低い溶融温度または軟化温度のポリマーが接合される上記１に記載の膜。
９．  最も低い溶融温度または軟化温度のポリマーが、総ポリマー重量の、重量による小さい割合を構成する上記８に記載の膜。
１０．  膜が、ポリエチレンおよびポリプロピレンを含んでなる上記８に記載の膜。
１１．  膜が、ポリエチレンおよびポリオレフィンエラストマーを含んでなる上記８に記載の膜。
１２．  膜がセルロースをさらに含んでなる上記１に記載の膜。
１３．  膜が多孔性である上記１に記載の膜。
１４．  膜が非多孔性である上記１に記載の膜。
１５．  織シート、不織シート、またはフィルムよりなる群から選択される予め形成された基材上に堆積された上記１に記載の膜を含んでなる複合シート。
１６．  （ａ）紡糸剤と、異なった溶融温度または軟化温度を有する少なくとも２つのポリマーとを含んでなる流体化混合物を、大気圧より大きい圧力で、回転速度で軸の周りを回転するロータに供給する工程であって、ロータが、ロータの周囲に沿って、中に開口部を含んでなる少なくとも１つの材料噴出ノズルを有することを特徴とする工程と、
（ｂ）材料噴出速度で、流体化混合物を、ノズルの開口部から、大気圧における環境中に噴出して、噴出された材料を形成する工程と、
（ｃ）噴出された材料の少なくとも１つの成分を気化させるか膨張させて、流体ジェットを形成する工程と、
（ｄ）噴出された材料の残りの成分を、流体によって輸送して、ロータから離す工程と、
（ｅ）ロータの軸に同軸の捕集ベルトの捕集表面上に、噴出された材料の残りの成分を捕集して、捕集された材料を形成する工程であって、捕集ベルトが、ロータの回転の軸に平行な方向に、捕集ベルト速度で移動することを特徴とする工程と、
（ｆ）捕集された材料の温度を、最も低い溶融温度または軟化温度のポリマーの温度より高い温度で、最も低い溶融温度または軟化温度のポリマーを粘着性にするのに十分な時間の間保持する工程と
を含んでなる方法。
１７．  捕集された材料が、６０℃から２８０℃の温度で保持される上記１６に記載の方法。
１８．  不織シート、織シート、またはフィルムよりなる群から選択される予め形成されたシートが、移動捕集ベルト上に提供され、噴出された材料の残りの成分が、予め形成されたシートの表面上に捕集される上記１６に記載の方法。
１９．  捕集された材料が、予め形成されたシートの表面上に膜層を形成し、膜層が、厚さが５０μｍ以下であり、縦方向均一性が２３（ｇ／ｍ２）１／２未満である上記１８に記載の方法。
２０．  膜層が、厚さが２５μｍ以下であり、縦方向均一性が１７（ｇ／ｍ２）１／２未満である上記１９に記載の方法。
２１．  膜層が、厚さが１μｍ以下である上記１９に記載の方法。
２２．  捕集された材料および予め形成されたシートを、捕集された材料を非多孔性にするのに十分な温度および圧力で、カレンダ加工する工程をさらに含んでなる上記１８に記載の方法。
２３．  捕集された材料を予め形成されたシートから取外して、膜を形成する工程をさらに含んでなる上記２２に記載の方法。
２４．  別々のフィブリルを含んでなる材料を形成するための方法であって、
（ａ）約０．５重量％から約５重量％の濃度における紡糸剤中のポリマーの溶液を含んでなる流体化混合物を、大気圧より大きい圧力で、回転速度で軸の周りを回転するロータに供給する工程であって、ロータが、ロータの周囲に沿って、中に開口部を含んでなる材料噴出ノズルを有することを特徴とする工程と、
（ｂ）材料噴出速度で、流体化混合物を、ノズルの開口部から、大気圧における環境中に噴出して、噴出された材料を形成する工程と、
（ｃ）噴出された材料の少なくとも１つの成分を気化させるか膨張させて、流体ジェットを形成する工程と、
（ｄ）噴出された材料の残りの成分から形成された別々のフィブリルを、流体によって輸送して、ロータから離す工程と、
（ｅ）ロータの軸に同軸の捕集ベルトの捕集表面上に、別々のフィブリルを捕集して、厚さが約５０μｍ以下である膜を形成する工程であって、捕集ベルトが、ロータの回転の軸に平行な方向に、捕集ベルト速度で移動することを特徴とする工程と
を含んでなる方法。
２５．  （ａ）異なったポリマー成分を含んでなる２つの別個の流体化混合物を、大気圧より大きい圧力で、回転速度で軸の周りを回転するロータに供給する工程であって、ロータが、少なくとも２つの別個の材料噴出ノズルを有し、各ノズルが、ロータの周囲に沿って、その中に開口部を含んでなることを特徴とする工程と、
（ｂ）各ノズルから、材料噴出速度で、２つの別個の流体化混合物を、別個のノズルの開口部から、大気圧における環境中に噴出して、別個の噴出された材料を形成する工程と、
（ｃ）各別個の噴出された材料の少なくとも１つの成分を気化させるか膨張させて、流体ジェットを形成する工程と、
（ｄ）各別個の噴出された材料の残りの成分を、流体によって輸送して、ロータから離す工程と、
（ｅ）ロータの軸に同軸の捕集ベルトの捕集表面上に、各別個の噴出された材料の残りの成分を捕集して、捕集された材料を形成する工程であって、捕集ベルトが、ロータの回転の軸に平行な方向に、捕集ベルト速度で移動することを特徴とする工程と
を含んでなる方法。